(57)【要約】【課題】関節の屈曲方向にはスムースに曲がり、他の方向には曲がりにくい、しかも関節の微妙なひねり動に対応しつつ関節部位をしっかり保持固定することができ、かつ装着フィット性に優れた関節サポーター用支柱の提供。【解決手段】柔軟性を有する扁平状支柱部材の内部に、該支柱部材より硬質で、かつ可撓性を有する扁平状芯部材を、互に扁平方向が交差するように埋設せしめた。【選択図】  図２
2004229679.tif 000002
【特許請求の範囲】
【請求項１】
柔軟性を有する扁平状支柱部材の内部に、該支柱部材より硬質で、かつ可撓性を有する扁平状芯部材が、互に扁平方向が交差する位置関係にて埋設されていることを特徴とする関節サポーター用支柱。
【請求項２】
扁平状支柱部材が中空部を有することを特徴とする請求項１記載の関節サポーター用支柱。
【請求項３】
中空部が扁平状芯部材の扁平長手側に於て各１本ずつ形設されていることを特徴とする請求項２記載の関節サポーター用支柱。
【請求項４】
扁平状支柱部材がその扁平長手側に厚肉部を有することを特徴とする請求項１〜３の何れか１項記載の関節サポーター用支柱。
【請求項５】
扁平状芯部材がその扁平長手側に厚肉部を有することを特徴とする請求項１〜４の何れか１項記載の関節サポーター用支柱。
【発明の詳細な説明】
【０００１】
【発明の属する技術分野】
本発明は関節サポーター用支柱、更に詳細には関節サポーターの装着時、関節部位の保持固定作用を強化するために、サポーター本体に取り付けて使用される支柱に関する。
【０００２】
【従来の技術】
関節サポーターは、関節部に装着使用されるものであるため、屈曲自在なことが要求される。而して、それに使用される支柱としても屈曲性が要求されるため、従来は一般にヒンジ付き金属ステー（例えば非特許文献１参照）やウレタンチューブ等が汎用されていた。
【０００３】
然しながら、ヒンジ付き金属ステーの場合には、ヒンジによる屈曲方向には殆ど抵抗がなく過度に曲がり易い一方、他方向には全く曲がらず、関節の微妙なひねり動には対応し得ないと云う問題があると共に、そもそも金属であるが故に重く、かつ装着フィット性に欠けると云う問題があった。
【０００４】
また、ウレタンチューブの場合には、あらゆる方向に均等に曲がり易いために、関節部位の保持固定能力に欠けると云う問題があると共に、チューブであるが故に、サポーター装着時にその円形突出部により痛みが生じ易いと云う問題があった。
【０００５】
【非特許文献１】
「ＪＩＳ福祉関連機器用語〔義肢・装具部門〕」日本規格協会、昭和６１年８月１日改正、Ｐ８９
【０００６】
【発明が解決しようとする課題】
本発明は斯かる従来の問題に鑑みてなされたもので、関節の屈曲方向にはスムースに曲がる一方、他の方向には曲がりにくく、しかも関節の微妙なひねり動に対応しつつ関節部位をしっかり保持固定することができると共に、装着フッィト性に優れた関節サポーター用支柱を提供することを目的とする。
【０００７】
【課題を解決するための手段】
本発明は、柔軟性を有する扁平状支柱部材の内部に、該支柱部材より硬質で、かつ可撓性を有する扁平状芯部材を、互に扁平方向が交差するように埋設せしめることにより上記目的を達成したものである。
【０００８】
【発明の実施の形態】
以下本発明の実施の形態を図面と共に説明する。
【０００９】
図１は、本発明関節サポーター用支柱の正面説明図、また図２は図１のＩ−Ｉ線拡大断面説明図である。
【００１０】
該両図に於て、１０は扁平状支柱部材で、湾曲可能な柔軟性を有するものであれば、その具体的材質の如何を問わないが、例えばエラストマー、ポリウレタン、ゴム、塩化ビニール、シリコン等が好ましいものとして挙げられる。この扁平状支柱部材１０の具体的形状も、装着時に痛みを生じさせないものであれば、単なる平板状体等特に限定されないが、図２に示す如く、扁平短手側を曲面にしてエッジのない扁平体とするのが、装着フィット性に優れ望ましい。
【００１１】
２０は扁平状芯部材で、扁平状支柱部材１０の内部に、互に扁平長手方向同士、従ってまた扁平短手方向同士が交差する位置関係にて埋設されている。この扁平状芯部材２０は扁平状支柱部材より硬質で、かつ可撓性を有するものであれば、その具体的材質の如何を問わないが、例えばＡＢＳ樹脂、ＥＶＡ樹脂、ウレタン、ナイロン、ポリエステル、ポリエチレン、ポリプロピレン、ポリカーボネート、ポリアセタール等が好ましいものとして挙げられる。この扁平状芯部材２０の具体的形状も、装着時に扁平状支柱部材１０の扁平短手方向Ｙへの曲がりを抑制し得るものであれば、単なる平板状体等特に限定されないが、図２に示す如く、扁平長手側中央部に膨出厚肉部２１を形成せしめるのが、扁平状芯部材２０を補強しつつ、扁平状支柱部材１０の扁平短手方向Ｙへの曲がりをより抑制し得るので望ましい。
【００１２】
１１は扁平状支柱部材１０に形設されている中空部で、屈曲性とクッション作用による装着フィット性を向上せしめると共に、支柱全体の軽量化を可能ならしめるものである。この中空部１１の具体的形設部位や形状は特に限定されないが、図２に示す如く、扁平状芯部材２０の扁平長手側に於て、断面略楕円状の中空部を線対称状に各１本ずつ形設するのが、強度的にも問題がなく望ましい。また、中空部１１の大きさは、扁平状支柱部材１０の肉厚に応じて適宜選定されるが、当該中空部１１の外縁と扁平状支柱部材１０の外縁との最短部距離Ｌが０．５〜２ｍｍ、特に１ｍｍ程度となるような大きさとするのが、強度的にも問題がなく望ましい。
【００１３】
図３は本発明関節サポーター用支柱の他の実施の形態を示す拡大断面説明図である。
この実施の形態に於ては、中空部１１の形状が、扁平状支柱部材１０の扁平長手方向Ｘへの曲がりをよりスムースにするため、扁平状芯部材２０側に於てやや巾広となった断面略台形状の中空部となっている。
また、この実施の形態に於ては、扁平状支柱部材１０を補強しつつ、その扁平短手方向Ｙへの曲がりをより抑制するため扁平状支柱部材１０の扁平長手側中央部に膨出厚肉部１２が形成されている。
【００１４】
【発明の効果】
本発明関節サポーター用支柱を図４に示す如く、関節サポーター３０に適宜手段、例えば縫着、支柱用ポケット挿入等の手段により取り付けた後、該支柱部を関節の非屈曲側に位置せしめて該サポーターを関節に装着使用すれば、軟質扁平状支柱部材１０とその内部に存在する硬質扁平状支柱部材２０との作用により、関節の屈曲時に於ては、扁平状支柱部材１０の扁平長手方向Ｘへスムースに湾曲する一方、その扁平短手方向Ｙへは曲がりにくく、撓む程度に抑制されるので、関節の微妙なひねり動にも十分に対応しつつ関節部位をしっかり保持固定することができる。
しかも、本発明支柱を取り付けた関節サポーター３０は、装着時痛みもなく、軽量で、特に装着フィット性に優れるものである。
【図面の簡単な説明】
【図１】本発明関節サポーター用支柱の正面説明図。
【図２】図１に於けるＩ−Ｉ線拡大断面説明図。
【図３】他の実施の形態を示す図１に於けるＩ−Ｉ線拡大断面説明図。
【図４】本発明支柱を取り付けた関節サポーターの平面説明図。
【符号の説明】
１０：扁平状支柱部材
１１：中空部
１２：厚肉部
２０：扁平状芯部材
２１：厚肉部
３０：関節サポーター
Ｌ：最短部距離
Ｘ：扁平状支柱部材の扁平長手方向
Ｙ：扁平状支柱部材の扁平短手方向
【図１】
2004229679.tif 000003
【図２】
2004229679.tif 000004
【図３】
2004229679.tif 000005
【図４】
2004229679.tif 000006